(57)【要約】【課題】携帯電話と画像表示装置とをＵＳＢケーブルに接続した場合に画像データを携帯電話から画像表示装置に送るようにするための技術を提供する。【解決手段】ＵＳＢケーブル１に、ＵＳＢケーブル１の携帯電話用ＵＳＢ端子１１と携帯電話２のＵＳＢ端子２７とが接続されるとともに、ＵＳＢケーブル１の画像表示装置用ＵＳＢ端子１２と画像表示装置３のＵＳＢ端子３２とが接続されているときに、携帯電話２と画像表示装置３との間のＵＳＢ接続の制御を行うＵＳＢホスト機能を設ける。【選択図】図１
2008160692.tif 000002
【特許請求の範囲】
【請求項１】
外部機器と接続するための画像表示端子および画像を表示する表示手段を備えている画像表示装置と、外部機器とＵＳＢ接続を行うための携帯ＵＳＢ端子を備えている携帯電話とを接続するためのケーブルであって、
前記画像表示端子と接続するための画像表示装置用端子と、前記携帯ＵＳＢ端子と接続するための携帯電話用ＵＳＢ端子とを有し、
前記携帯電話の前記携帯ＵＳＢ端子および前記ケーブルの前記携帯電話用ＵＳＢ端子が接続され、且つ前記画像表示装置の前記画像表示端子および前記ケーブルの前記画像表示装置用端子が接続されているときに、前記携帯電話と前記画像表示装置との間のＵＳＢ接続の制御を行うＵＳＢホスト機能を有するものであり、前記携帯電話から前記画像表示装置に動画および静止画の少なくとも一方を含む画像データを送信させるようになっているＵＳＢ制御手段を有する、
ケーブル。
【請求項２】
前記携帯電話は、画像を表示する表示手段と、前記携帯電話から前記画像表示装置に送信させるべき画像データを指定する画像データ指定手段とをさらに有しており、
前記ＵＳＢ制御手段は、前記携帯電話の有する画像データを特定するための画像特定用表示を前記携帯電話の前記表示手段または前記画像表示装置の前記表示手段に表示させ、前記画像特定用表示の中から前記画像データ指定手段により指定されたものに対応づけられた画像データを前記携帯電話から前記画像表示装置に送信させるようになっている、
請求項１記載のケーブル。
【請求項３】
前記ケーブルは、前記携帯電話から前記画像表示装置に送信させるべき画像データを指定する画像データ指定手段をさらに有しており、
前記ＵＳＢ制御手段は、前記携帯電話の有する画像データを特定するための画像特定用表示を前記画像表示装置の前記表示手段に表示させ、前記画像特定用表示の中から前記画像データ指定手段により指定されたものに対応づけられた画像データを前記携帯電話から前記画像表示装置に送信させるようになっている、
請求項１記載のケーブル。
【請求項４】
前記携帯電話は、動画および静止画の少なくとも一方を含む画像データを圧縮して圧縮データにする圧縮手段をさらに有しており、
前記ケーブルは、
前記携帯電話から前記画像表示装置に送信される画像データが前記圧縮手段により圧縮された圧縮データである場合に、この圧縮データを伸長して伸長データにする、前記画像表示装置用端子側に設けられる伸長手段をさらに有しており、
前記伸長手段により伸長された伸長データを前記画像表示装置に送信するようになっている、
請求項１ないし３のいずれかの項記載のケーブル。
【請求項５】
前記ケーブルは、
前記携帯電話から前記画像表示装置に送信される画像データが暗号化された暗号データである場合に、この暗号データを復号化して復号データとする復号化手段をさらに有しており、
前記復号化手段により復号化された復号データを前記画像表示装置に送信するようになっている、
請求項１ないし４のいずれかの項記載のケーブル。
【請求項６】
前記復号化手段は、前記画像表示装置用端子側に設けられている、
請求項５記載のケーブル。
【請求項７】
前記携帯電話は、前記画像表示装置に送信するための暗号データを有する外部のサーバから、ネットワーク経由で、前記暗号データを受け取るための通信手段をさらに有しており、
前記ＵＳＢ制御手段は、前記通信手段に、前記外部のサーバから前記暗号データを受信させるようになっている、
請求項５または６記載のケーブル。
【請求項８】
前記画像表示装置に送信した前記携帯電話からの暗号データおよびその復号データが前記ケーブル内に残らないようになっている、
請求項５ないし７のいずれかの項記載のケーブル。
【請求項９】
前記ＵＳＢ制御手段は、前記携帯電話から前記画像表示装置に送信させた暗号データが前記携帯電話内に残らないように、前記暗号データを前記携帯電話から送信させるようになっている、
請求項５ないし８のいずれかの項記載のケーブル。
【請求項１０】
前記ＵＳＢ制御手段は、前記携帯電話から前記画像表示装置に送信させた暗号データの復号データが前記画像表示装置内に残らないように、前記復号データを前記画像表示装置に表示させるようになっている、
請求項５ないし９のいずれかの項記載のケーブル。
【請求項１１】
前記画像表示端子は、ＲＧＢ入力端子であり、
前記画像表示装置用端子は、ＲＧＢ出力端子である、
請求項１ないし１０のいずれかの項記載のケーブル。
【請求項１２】
外部機器とＵＳＢ接続を行うための携帯ＵＳＢ端子を備えている携帯電話と、外部機器とＵＳＢ接続を行うための画像表示端子および画像を表示する表示手段を備えている画像表示装置とのＵＳＢ接続を行うために用いられるケーブルであり、前記携帯電話の前記携帯ＵＳＢ端子と接続するためのＵＳＢ端子であって、動画および静止画の少なくとも一方を含む画像データを前記携帯電話から受け付ける携帯電話用ＵＳＢ端子と、前記画像表示装置の前記画像表示端子と接続するための画像表示装置用端子と、コンピュータと、を有する、ケーブルにて実行される方法であって、
前記コンピュータが、
前記携帯電話の前記携帯ＵＳＢ端子および前記ケーブルの前記携帯電話用ＵＳＢ端子が接続され、且つ前記画像表示装置の前記画像表示端子および前記ケーブルの前記画像表示装置用端子が接続されているときに、前記携帯電話と前記画像表示装置との間のＵＳＢ接続の制御を行う過程、
前記ＵＳＢ接続を介して前記携帯電話から前記画像表示装置に画像データを送信させる過程、
を実行することにより、
前記携帯電話の有する画像データを前記ケーブルを介して前記画像表示装置に送信する、
方法。
【請求項１３】
前記ＵＳＢ接続を介して前記携帯電話から前記画像表示装置に画像データを送信させる過程は、
前記ＵＳＢ接続を介して前記携帯電話から前記画像表示装置に画像データを暗号化した暗号データを送信させる過程であり、
前記携帯電話から前記画像表示装置に送信させた暗号データが前記携帯電話内、前記ケーブル内、または前記画像表示装置内の少なくとも１つに残らないように、前記ＵＳＢ接続を介して前記携帯電話から前記画像表示装置に画像データを送信させる過程、を含む、
請求項１２記載の方法。
【発明の詳細な説明】
【技術分野】
【０００１】
本発明は、画像表示装置と携帯電話とをＵＳＢ接続するための技術に関する。
【背景技術】
【０００２】
近年のコンピュータの普及に伴い、ディスプレイ装置やプロジェクタのような画像表示装置の画面にプレゼンテーション用の資料データ（画像データ）を表示し、この表示された画像データを元にプレゼンテーションを行うことが一般的となっている。
このようなプレゼンテーションを取引先等の出先で行う場合には、プレゼンテーション用の画像データが入っているパソコンを取引先等に持ち込み、取引先等にある画像表示装置に接続して行うのが通常である。このように、出先でプレゼンテーションを行うには、プレゼンテーション用の画像データが入っているパソコンを持ち運ぶ必要がある。
この点、携帯して持ち運ぶことが前提の携帯電話にプレゼンテーション用の画像データを入れ、この携帯電話と取引先等にある画像表示装置とを接続し、この画像表示装置の画面に該画像データを表示することができれば、パソコンを持ち込む必要なくプレゼンテーションを行うことができ、大変便利である。
本願発明者は、以上のように必要に応じて携帯電話内の画像データを画像表示装置に表示するための手法について考察した結果、携帯電話に設けられるＵＳＢ（ユニバーサルシリアルバス）端子と画像表示装置に設けられるＵＳＢ端子を接続して携帯電話から画像表示装置に動画や静止画の画像データを送ることを想起するに至った。このＵＳＢ接続は、携帯電話にはともかく、パーソナルコンピュータの分野では非常に広く普及しており、ユーザに使用させる際に生じる困難もそれほど大きくないと予想される。
しかしながら、現在の携帯電話および画像表示装置は共に、ホスト機器から制御信号を与えられて初めてデータ伝送を行うことができるデバイス機器であり、両者を接続するだけでは携帯電話から画像表示装置に画像データを送信することはできない。
【発明の開示】
【発明が解決しようとする課題】
【０００３】
本発明は、携帯電話と画像表示装置とをＵＳＢ接続して画像データを携帯電話から画像表示装置に送るようにするための技術を提供することをその課題とする。
【課題を解決するための手段】
【０００４】
本願発明者は、上述の課題を解決すべく、以下の発明を提案する。
【０００５】
本願発明は、外部機器と接続するための画像表示端子および画像を表示する表示手段を備えている画像表示装置と、外部機器とＵＳＢ接続を行うための携帯ＵＳＢ端子を備えている携帯電話とを接続するためのケーブルを提供する。
このケーブルは、前記画像表示端子と接続するための画像表示装置用端子と、前記携帯ＵＳＢ端子と接続するための携帯電話用ＵＳＢ端子とを有し、前記携帯電話の前記携帯ＵＳＢ端子および前記ケーブルの前記携帯電話用ＵＳＢ端子が接続され、且つ前記画像表示装置の前記画像表示端子および前記ケーブルの前記画像表示装置用端子が接続されているときに、前記携帯電話と前記画像表示装置との間のＵＳＢ接続の制御を行うＵＳＢホスト機能を有するものであり、前記携帯電話から前記画像表示装置に動画および静止画の少なくとも一方を含む画像データを送信させるようになっているＵＳＢ制御手段を有する。
このケーブルは、携帯電話と画像表示装置との間のＵＳＢ接続の制御を行うＵＳＢホスト機能を有するＵＳＢ制御手段を有しているので、携帯電話と画像表示装置との間のＵＳＢ接続をケーブルにより制御することができる。したがって、このケーブルを用いて携帯電話と画像表示装置とを接続すれば、携帯電話の画像データを、このケーブルを介して画像表示装置に送信させることができるようになる。これにより、携帯電話の画像データを画像表示装置に表示させることができるようになるため、携帯電話さえあればパソコンを出先に持ち込まなくても出先にある画像表示装置を使用したプレゼンテーションを行うことができるようになる。
なお、本発明のケーブルに接続される画像表示装置は、画像を表示することができる装置ならどのような装置でもよく、例えば、市販されているような液晶ディスプレイやプロジェクタであってもよいし、本発明のケーブルと接続することを前提に製造されるディスプレイ装置であってもよい。
【０００６】
この画像表示装置が奏するのと同様の作用効果を、以下の方法によっても得ることができる。
この方法は、外部機器とＵＳＢ接続を行うための携帯ＵＳＢ端子を備えている携帯電話と、外部機器とＵＳＢ接続を行うための画像表示端子および画像を表示する表示手段を備えている画像表示装置とのＵＳＢ接続を行うために用いられるケーブルであり、前記携帯電話の前記携帯ＵＳＢ端子と接続するためのＵＳＢ端子であって、動画および静止画の少なくとも一方を含む画像データを前記携帯電話から受け付ける携帯電話用ＵＳＢ端子と、前記画像表示装置の前記画像表示端子と接続するための画像表示装置用端子と、コンピュータと、を有する、ケーブルにて実行される方法である。
この方法では、前記コンピュータが、前記携帯電話の前記携帯ＵＳＢ端子および前記ケーブルの前記携帯電話用ＵＳＢ端子が接続され、且つ前記画像表示装置の前記画像表示端子および前記ケーブルの前記画像表示装置用端子が接続されているときに、前記携帯電話と前記画像表示装置との間のＵＳＢ接続の制御を行う過程、前記ＵＳＢ接続を介して前記携帯電話から前記画像表示装置に画像データを送信させる過程、を実行することにより、前記携帯電話の有する画像データを前記ケーブルを介して前記画像表示装置に送信するようにする。
前記ＵＳＢ接続を介して前記携帯電話から前記画像表示装置に画像データを送信させる過程は、前記ＵＳＢ接続を介して前記携帯電話から前記画像表示装置に画像データを暗号化した暗号データを送信させる過程であり、前記携帯電話から前記画像表示装置に送信させた暗号データが前記携帯電話内、前記ケーブル内、または前記画像表示装置内の少なくとも１つに残らないように、前記ＵＳＢ接続を介して前記携帯電話から前記画像表示装置に画像データを送信させる過程、を含んでいてもよい。
【０００７】
前記携帯電話は、画像を表示する表示手段と、前記携帯電話から前記画像表示装置に送信させるべき画像データを指定する画像データ指定手段とをさらに有しており、前記ＵＳＢ制御手段は、前記携帯電話の有する画像データを特定するための画像特定用表示を前記携帯電話の前記表示手段または前記画像表示装置の前記表示手段に表示させ、前記画像特定用表示の中から前記画像データ指定手段により指定されたものに対応づけられた画像データを前記携帯電話から前記画像表示装置に送信させるようになっていてもよい。
携帯電話から画像表示装置に画像データを送信する際、送信に先立って携帯電話側のいずれの画像データを送信するかをユーザが指定する必要がある。このユーザによる画像データの指定を携帯電話側で行えるように、また、画像データを特定するための画像特定用表示を携帯電話の表示手段または画像表示装置の表示手段に表示させるように、ケーブルを構成してもよい。ここで、画像特定用表示とは、携帯電話の有する画像データを特定することができるような表示であればどのような表示であってもよい。例えばその画像データのタイトルを含んだアイコンであってもよいし、画像表示装置に送信すべき画像データのタイトル名をユーザに打ち込ませるための表示であってもよい。
【０００８】
また、前記ケーブルは、前記携帯電話から前記画像表示装置に送信させるべき画像データを指定する画像データ指定手段をさらに有しており、前記ＵＳＢ制御手段は、前記携帯電話の有する画像データを特定するための画像特定用表示を前記画像表示装置の前記表示手段に表示させ、前記画像特定用表示の中から前記画像データ指定手段により指定されたものに対応づけられた画像データを前記携帯電話から前記画像表示装置に送信させるようになっていてもよい。
このような構成のケーブルによれば、携帯電話から画像表示装置に送信させるべき画像データの指定を、ケーブルにおいて行うことができる。
なお、画像特定用表示を携帯電話の表示手段に表示させるようにしてもよい。
また、携帯電話から画像表示装置に送信させるべき画像データの指定を画像表示装置において行えるようにしてもよい。なお、この場合には画像表示装置に画像データ指定手段を設ける必要がある。
【０００９】
また、前記携帯電話は、動画および静止画の少なくとも一方を含む画像データを圧縮して圧縮データにする圧縮手段をさらに有しており、前記ケーブルは、前記携帯電話から前記画像表示装置に送信される画像データが前記圧縮手段により圧縮された圧縮データである場合に、この圧縮データを伸長して伸長データにする、前記画像表示装置用端子側に設けられる伸長手段をさらに有しており、前記伸長手段により伸長された伸長データを前記画像表示装置に送信するようになっていてもよい。
このケーブルは、携帯電話から送り出される圧縮データを伸長して伸長データにする伸長手段をさらに有している。
ＵＳＢ接続のデータの転送スピードはそれほど早くないが、携帯電話の圧縮手段により予め圧縮された画像データ（圧縮データ）をケーブルを介してケーブルの画像表示装置用端子側に送り、この圧縮データを伸長手段により伸長データとして画像表示装置用端子から画像表示装置に送り出すことができるようにすれば、携帯電話から画像表示装置への画像データの転送を実現化し易くなる。
なお、この伸長手段は、データの転送スピードを効率的にすべく、ケーブルの前記画像表示装置用端子側に設けられている。
【００１０】
さらに、前記ケーブルは、前記携帯電話から前記画像表示装置に送信される画像データが暗号化された暗号データである場合に、この暗号データを復号化して復号データとする復号化手段をさらに有しており、前記復号化手段により復号化された復号データを前記画像表示装置に送信するようになっていてもよい。
このケーブルによれば、携帯電話から暗号データをケーブルに送り、送信される画像データが暗号データである場合にこの暗号データを復号化して画像表示装置に表示させることができる。
すなわち、このような復号化手段を有するケーブルを用いれば、携帯電話から画像表示装置に送信する画像データとして、画像データそのものではなくセキュリティの高い暗号データを送ることができるようになる。
【００１１】
この復号化手段は、ケーブルのどこに設けられていてもよいが、例えば前記画像表示装置用端子側に設けられるようにすることができる。こうすれば、ケーブルが携帯電話から受け取った暗号データを画像表示装置に送り出す直前まで暗号化されたままの状態とすることができ、セキュリティをより高くすることができる。
【００１２】
前記携帯電話は、前記画像表示装置に送信するための暗号データを有する外部のサーバから、ネットワーク経由で、前記暗号データを受け取るための通信手段をさらに有しており、前記ＵＳＢ制御手段は、前記通信手段に、前記外部のサーバから前記暗号データを受信させるようになっていてもよい。
携帯電話から画像表示装置に暗号データを送信する場合、携帯電話に画像データを暗号化する暗号化手段を設け、この暗号化手段により生成された暗号データを送信するようにしてもよいが、上述のように、暗号データ自体を外部のサーバからネットワークを通じてダウンロードし、ダウンロードした暗号データを送信するようにしてもよい。暗号データ自体を外部のサーバからダウンロードするようにすれば、携帯電話に暗号化手段を設ける必要がない。また、市販されている携帯電話には暗号化手段はないのが一般的であり、携帯電話自体においてこの暗号データを復号化し、データ内容を見ることができないため、セキュリティをより高めることができる。
【００１３】
さらに、画像表示装置に送信した携帯電話からの暗号データおよびその復号データがケーブル内に残らないようになっていてもよい。
このようにすれば、ケーブル内に暗号データおよび復号データが残らないので、第三者が該データを持ち出すことができず、これらのデータが第三者に漏洩するのを防止することができる。
また、ＵＳＢ制御手段は、携帯電話から画像表示装置に送信させた暗号データが携帯電話内に残らないように、前記暗号データを携帯電話から送信させるようになっていてもよい。
このようにすれば、携帯電話内に暗号データが残らないので、第三者が該データを持ち出すことができず、これらのデータが第三者に漏洩するのを防止することができる。
ＵＳＢ制御手段は、携帯電話から画像表示装置に送信させた暗号データの復号データが画像表示装置内に残らないように、前記復号データを画像表示装置に表示させるようになっていてもよい。
このようにすれば、画像表示装置内に復号データが残らないので、第三者が該データを持ち出すことができず、これらのデータが第三者に漏洩するのを防止することができる。
これらの暗号データまたは復号データは、例えばＵＳＢ接続が解消された際に、ケーブルまたは画像表示装置内に残らないようにしてもよい。なお、「ＵＳＢ接続が解消された際」とは、携帯電話または画像表示装置のＵＳＢ端子の少なくとも一方をケーブルの携帯電話用ＵＳＢ端子または画像表示装置用端子から取り外した場合、および電気的にこれらが接続されないようになった場合を含む。
【００１４】
また、前記ＵＳＢ接続が解消された際、前記携帯電話内にも前記暗号データを残さないようになっていてもよい。
このようにすれば、ＵＳＢ接続が解消された際に、携帯電話の中にも画像表示装置に送信した暗号データが残らないので、ＵＳＢ接続が解消された後に第三者が携帯電話から該データを持ち出すことができず、これらのデータの第三者への漏洩をさらに防止することができる。
【００１５】
以上のケーブルの画像表示装置用端子は、画像表示端子と対応していればどのような端子でもよく、例えばＵＳＢ端子とすることもできるが、ＲＧＢ出力端子とすることができる。こうすれば、一般的な画像表示装置が装備していると考えられるＲＧＢ入力端子と接続することができる。この場合には、画像表示装置の画像表示端子はＲＧＢ入力端子となる。
【発明の効果】
【００１６】
本発明によれば、携帯電話と画像表示装置とをＵＳＢ接続して画像データを携帯電話から画像表示装置に送るようにすることができるようになる。
【発明を実施するための最良の形態】
【００１７】
以下、本発明の好ましい一実施形態を、図面を参照しながら説明する。
【００１８】
図１は、本実施形態のＵＳＢケーブル１、このＵＳＢケーブル１を介して接続される携帯電話２、および画像表示装置３を示す図である。
【００１９】
まず、本発明のＵＳＢケーブル１の構成について説明する。
このＵＳＢケーブル１は、このＵＳＢケーブル１を介して接続される携帯電話２の画像データを画像表示装置３へと送るものである。
このＵＳＢケーブル１は、コード状のケーブルＣと、携帯電話２とＵＳＢ接続するための携帯電話用ＵＳＢ端子１１と、画像表示装置３とＵＳＢ接続するための画像表示装置用ＵＳＢ端子１２と、携帯電話２と画像表示装置３との間のＵＳＢ接続の制御を行う制御装置１３と、を有している。携帯電話用ＵＳＢ端子１１はケーブルＣの一端側に設けられており、画像表示装置用ＵＳＢ端子１２はケーブルＣの他端側に設けられている。制御装置１３は、これには限られないが、この実施形態では画像表示装置用ＵＳＢ端子１２と隣接するように設けられている。
【００２０】
制御装置１３は図示しない電源を有しており、図１に示したように、略直方体形状に形成されたケース１４を備えている。これには限られないが、この実施形態におけるケース１４は樹脂製である。このケース１４の一面（本実施形態では、ＵＳＢケーブル１の両端に携帯電話２と画像表示装置３とを接続した場合に、上になる面）には操作ボタンが設けられている。
図２は、この操作ボタン１５を示す図である。操作ボタン１５は、携帯電話２側のどの画像データを画像表示装置３に送信するかをユーザに選択させるためのボタンである。本図に示すように、この操作ボタン１５は方向指示ボタン１５ａないし１５ｄと、画像選択ボタン１５ｅと、画像選択キャンセルボタン１５ｆとを有している。
このケース１４は、本実施形態では、ケーブルＣおよび画像表示装置用ＵＳＢ端子１２と取り外し不可能に接続されているものとして説明するが、これらと取り外し可能に接続されていてもよい。
【００２１】
また、ケース１４の内部には、携帯電話２と画像表示装置３がＵＳＢ接続され、電源を入れた状態のときに携帯電話２と画像表示装置３との間のＵＳＢ接続の制御を行い、ＵＳＢケーブル１を介して携帯電話２から画像表示装置３に画像データを送信させるように制御を行う、図示しない回路が配されている。
【００２２】
この回路は、図３に示すように、ＣＰＵ１０１、ＲＯＭ１０２、ＲＡＭ１０３、インタフェース１０４、データ伸長回路１０５、データ復号化回路１０６、およびこれらを接続するバス１０７を備えてなる。
ＣＰＵ１０１は、所定のプログラムにしたがって携帯電話２と画像表示装置３との間のＵＳＢ接続の制御を行い、ＵＳＢケーブル１を介して携帯電話２から画像表示装置３に画像データを送信させるための制御を行う。
ＲＯＭ１０２は、情報を固定的に記録する記録媒体である。
ＲＡＭ１０３は、揮発性の記録媒体であり、ＣＰＵ１０１が上述の処理、制御を行う際に必要な作業領域を提供するものである。なお、本実施形態では、ＲＡＭ１０３中に携帯電話２から送信されてきた画像データを一時的に記録するための図示しないフレームバッファが設けられている。
インタフェース１０４は、上記回路と外部とをつなぐものであり、この実施形態では、ケーブルＣ、操作ボタン１５と接続されている。
データ伸長回路１０５は、携帯電話２から送信された画像データが圧縮された画像データである場合に、これを伸長するものである。
データ復号化回路１０６は、携帯電話２から送信された画像データが暗号データである場合に、これを復号化するものである。
【００２３】
ＣＰＵ１０１がＲＯＭ１０２に記録されているプログラムを実行することにより、以下のような機能ブロックが生成される。この機能ブロックを図４に示す。
ケース１４内には、入力情報管理部１１１、制御部１１２、出力情報管理部１１３が生成される。
入力情報管理部１１１は、ケーブルＣおよび操作ボタン１５からの画像データまたは入力された情報を受け付け、制御部１１２へ送る機能を有する。
制御部１１２は、ＵＳＢケーブル１により携帯電話２と画像表示装置３とが接続された場合、携帯電話２と画像表示装置３との間のＵＳＢ接続の制御を行い、ＵＳＢケーブル１を介して携帯電話２から画像表示装置３に画像データを送信させるように制御し、入力情報管理部１１１を介して制御部１１２に送られたその画像データを出力情報管理部１１３に送るように制御する機能を有する。
なお、携帯電話２から画像表示装置３に送信される画像データは、操作ボタン１５から入力された情報によって異なるものとなる。
制御部１１２内には、主制御部１１２Ａと、一時記録部１１２Ｂと、データ伸長部１１２Ｃと、データ復号部１１２Ｄとが生成される。
【００２４】
主制御部１１２Ａは、ＵＳＢケーブル１を介して接続されている携帯電話２と画像表示装置３とをＵＳＢケーブル１が認識するための処理（エニュメレーション）、この携帯電話２から画像表示装置３に送信可能な画像一覧を携帯電話２に送信させる処理、この画像一覧の中からユーザの選択した画像の画像データを携帯電話２に送信させる処理、携帯電話２から送信させた画像データが圧縮データである場合に後述のデータ伸長部１１２Ｃにより伸長させる処理、および携帯電話２から送信させた画像データが暗号データである場合に後述のデータ復号部１１２Ｄにより復号化させる処理、画像データ、伸長させた伸長データ、または復号化した復号データを出力情報管理部１１３に出力する処理、を実行する。
このような、携帯電話２に送信すべき情報、画像表示装置３に表示すべき画像データは、出力情報管理部１１３からケーブルＣ、ＵＳＢ端子１１、１２を介して、携帯電話２や画像表示装置３へと送られることとなる。
一時記録部１１２Ｂは、携帯電話２から送信されてきた画像データ等を一時的に記録する。
データ伸長部１１２Ｃは、携帯電話２から送信された画像データが圧縮された画像データである場合に、これを伸長する。
データ復号部１１２Ｄは、携帯電話２から送信された画像データが暗号データである場合に、これを復号化する。
なお、本実施形態の一時記録部１１２Ｂは、これらのデータ伸長部１１２Ｃにより伸長された伸長データや、データ復号部１１２Ｄにより復号化された復号データを一時的に記録するようになっている。
【００２５】
次に、本実施形態の携帯電話２について説明する。
この実施形態で使用する携帯電話２は、図５に示すように、送受信アンテナ２１が植設されたケース２２の表面に各種情報の入力を行うキー操作部２３、画像等を表示する液晶表示装置２４、が設けられており、インターネットＮを介して、ファームウェア提供サーバＳ１や暗号データ提供サーバＳ２等のサーバとインタラクティブに通信を行えるようになっている。また、この携帯電話２はメモリカード２５を収容することができるメモリカードスロット２６、ＵＳＢ端子２７、および図示しないテレビチューナを備えている。
【００２６】
以上の携帯電話２は、図６に示すように、携帯電話２全体の動作を統括するＣＰＵ２０１、ＲＡＭ２０２やＲＯＭ２０３等のメモリ、無線部２０４、インタフェース２０５と、これらを接続するバス２０６を備えてなる。
ＣＰＵ２０１は中央処理部であり、携帯電話２全体の制御を行うものである。
ＲＯＭ２０３は、この携帯電話２で実行される後述の処理を行うのに必要なプログラム、データを記録しており、ＣＰＵ２０１は、このプログラムに基づいて処理の実行を行うようになっている。
ＲＡＭ２０２は、上述のプログラムを実行するための作業領域を提供するものである。
無線部２０４は、インターネットＮを介して外部のファームウェア提供サーバＳ１や暗号データ提供サーバＳ２との間で無線通信を行うためのものである。また、外部の基地局からテレビ放送を受信するためのものである。
インタフェース２０５は、外部とのデータ交換を行うためのものであり、この実施形態では、本発明のＵＳＢケーブル１およびメモリカード２５と接続されている。
【００２７】
なお、本実施形態では、ＲＯＭ２０３に図示しないヘッダ付加プログラム、データ圧縮プログラムが格納されている。
このヘッダ付加プログラムは、画像表示装置３に送信すべき画像データ（なお、「画像データ」には、特に示さない限り、画像データを暗号化した暗号データを含むものとする。）が静止画のデータであるか動画のデータであるかを示すヘッダを付するようになっている。
このデータ圧縮プログラムは、画像表示装置３に送信すべき画像データが動画のデータである場合、これを圧縮するようになっている。なお、本実施形態では、このデータ圧縮プログラムは、携帯電話２から画像表示装置３に送信すべき画像データが動画である場合にのみ圧縮するものとして記載するが、以下のような改変も可能である。まず、画像表示装置３に送信すべき画像データが動画のデータまたは静止画のデータのどちらであっても圧縮するものとすることができる。この場合、携帯電話２から画像表示装置３に送信すべき画像データが動画である場合に、携帯電話２から画像表示装置３に送信すべき画像データが静止画である場合よりも圧縮のレートを高くするようになっていてもよい。また、画像表示装置３に送信すべき画像データが動画のデータまたは静止画のデータのどちらであっても圧縮しないものとすることができる。この場合には、ＵＳＢケーブル１、携帯電話２はそれぞれデータ伸長回路１０５、データ圧縮プログラムを有しないような構成としてもよい。
これらのヘッダ付加プログラムおよびデータ圧縮プログラムは、本実施形態では、無線部２０４およびインターネットＮを介して外部のファームウェア提供サーバＳ１からファームウェアとして提供され、ＲＯＭ２０３に格納されているものとして記載するが、携帯電話２の製造販売時において、携帯電話２のＲＯＭ２０３等にインストールされていてもよい。
さらに、必要に応じてファームウェア提供サーバＳ１から更新用ファームウェアをダウンロードできるようにしてもよい。
【００２８】
本実施形態では、ＵＳＢケーブル１に携帯電話２と画像表示装置３とを接続した場合、ＣＰＵ２０１が上述のプログラムを実行することにより、携帯電話２には図７に示される機能ブロック、すなわち、入力情報管理部２１１、制御部２１２、通信制御部２１３および出力情報管理部２１４の機能が生成される。なお、本実施形態では上述のプログラムを実行することにより以下の機能ブロックが生成されるものとして記載するが、これに限られず、携帯電話２が有するプログラムと協働して以下の機能ブロックが生成されてもよい。
入力情報管理部２１１は、メモリカード２５またはＵＳＢケーブル１からの画像データまたは入力された情報を制御部２１２へ送る機能を有する。
通信制御部２１３は、制御部２１２の指示に応じてインターネットＮを介して外部のサーバＳから暗号データを含む画像データをダウンロードできるようになっている。この通信制御部２１３はまた、制御部２１２の指示に応じて外部の基地局から所定の周波数の電波を受信し、受信した信号を復調、デコードするようになっている。
制御部２１２は、携帯電話２および画像表示装置３がＵＳＢケーブル１に接続された場合、ＵＳＢケーブル１の要求に応じて各種情報を送信することによりＵＳＢ接続を成立させ、携帯電話２から画像表示装置３に画像データを送信するように携帯電話２を制御する機能を有する。
制御部２１２内には、主制御部２１２Ａと、一時記録部２１２Ｂと、データ圧縮部２１２Ｃとが生成される。
【００２９】
主制御部２１２Ａは、携帯電話２および画像表示装置３がＵＳＢケーブル１に接続された場合、ＵＳＢケーブル１の要求に応じて各種情報を送信することによりＵＳＢ接続を成立させるための処理、ＵＳＢケーブル１の要求に応じて送信可能な画像一覧を画像表示装置３に送信する処理、ＵＳＢケーブル１の画像選択ボタン１５ｅにより選択された画像データを読み出し（またはインターネットＮまたはチューナを介して取得し）、この画像データが静止画のデータであるか動画のデータであるかを示すヘッダを付し、必要に応じて後述のデータ圧縮部２１２Ｃに圧縮させ、ＵＳＢケーブル１を介して画像表示装置３に送信する処理、を実行する。
一時記録部２１２Ｂは、画像表示装置３に送信すべき画像データであって、チューナを介して受信した画像データまたは暗号データ提供サーバＳ２から受信した暗号データを一時的に記録する。この一時的な記録は、この実施形態では、受信した画像データが静止画についてのものである場合にはその静止画の全体について、これらのデータが動画についてのものである場合にはその動画のフレーム毎に行われる。また、受信したデータが暗号データの場合には所定のビット単位毎に行われる。
データ圧縮部２１２Ｃは、画像表示装置３に送信すべき画像データが動画のデータである場合に、これを圧縮する。
【００３０】
画像表示装置３に送信すべき画像データ（または圧縮した画像データ）は出力情報管理部２１４を通じ、ＵＳＢケーブル１を介して画像表示装置３に送信される。
【００３１】
次に、本実施形態の画像表示装置３の構成について説明する。
この画像表示装置３は、本実施形態では市販の液晶ディスプレイであるものとして説明するが、これに限らず、画像を表示することができればどのような画像表示装置であってもよい。例えばプロジェクタやヘッドマウント型の画像表示装置を使用してもよい。
本実施形態の画像表示装置３は、図１に示したように、略直方体形状に形成された薄型の外枠ケース３０を備えている。これには限られないが、この実施形態における外枠ケース３０は樹脂製であり、その正面に、画像を表示するＬＣＤ３１が外部から視認できるように嵌め込まれている。また、ＬＣＤ３１が嵌め込まれた面の下側には、ＵＳＢ端子３２が設けられており、ＵＳＢケーブル１の画像表示装置用ＵＳＢ端子１２と接続できるようになっている。
【００３２】
外枠ケース３０の内部には、図８に示すように、変換基板３３、バックライトユニット３４、およびＬＣＤ３１が設けられている。
変換基板３３は、外部から送られてくる画像データをＬＣＤ３１に表示できるようなものに変換し、ＬＣＤ３１の制御を行うものである。
バックライトユニット３４は、ＬＣＤ３１を背後から照明するバックライトを含んでおり、バックライトの制御を行うものとなっている。
ＬＣＤ３１は、変換基板３３の制御下で、動画または静止画である所定の画像を表示するものである。
【００３３】
変換基板３３は、ＬＣＤ３１に表示する画像を制御するものである。この変換基板３３は、本実施形態では、図９に示したように、ＣＰＵ３０１、ＲＯＭ３０２、ＲＡＭ３０３、インタフェース３０４、およびこれらを接続するバス３０５を備えている。
ＣＰＵ３０１は、所定のプログラムを実行することで、所定の処理を実行するものである。
ＲＯＭ３０２は、ＣＰＵ３０１を動作させるためのプログラム、画像表示装置３を制御する際に必要なデータなどを記憶している。
ＲＡＭ３０３は、ＣＰＵ３０１がデータ処理を行うためのワーク領域を提供する。なお、本実施形態では、ＲＡＭ３０３中に携帯電話２からＵＳＢケーブル１を介して送信されてきた画像データを一時的に記録するための図示しないフレームバッファが設けられている。
インタフェース３０４は、外部とのデータ交換を行うためのものであり、この実施形態では、ＵＳＢ端子３２を介して本実施形態のＵＳＢケーブル１と接続されている。
【００３４】
ＣＰＵ３０１がＲＯＭ３０２に記録されていたプログラムを実行することにより、以下のような機能ブロックが外枠ケース３０内に生成される。この機能ブロックを図１０に示す。
外枠ケース３０内に生成される機能ブロックは、入力情報管理部３１１、制御部３１２、出力情報管理部３１３を含んでいる。
入力情報管理部３１１は、ＵＳＢケーブル１からの画像データまたは入力された情報を制御部３１２へ送る機能を有する。
制御部３１２は、入力情報管理部３１１を介して制御部３１２に送られたその画像データを出力情報管理部３１３に送るように制御する機能を有する。携帯電話２から画像表示装置３に送信される画像データは、上述のように、ＵＳＢケーブル１の操作ボタン１５から入力された情報によって決定されることとなる。
制御部３１２内には、主制御部３１２Ａと、一時記録部３１２Ｂとが生成される。
主制御部３１２Ａは、携帯電話２および画像表示装置３がＵＳＢケーブル１に接続された場合、ＵＳＢケーブル１の要求に応じて各種情報を送信することによりＵＳＢ接続を成立させるための処理、入力情報管理部３１１から受け付けた画像データに付されたヘッダにより、該画像データが静止画のデータであるか動画のデータであるかを認識する処理、を実行する。
一時記録部３１２Ｂは、ＵＳＢケーブル１を介して携帯電話２から送信されてきた画像データを一時的に記録する。この一時的な記録は、この実施形態では、画像データに付されたヘッダに基づき、画像データが静止画のデータである場合にはその静止画の全体について、画像データが動画のデータである場合にはその動画のフレーム毎に行われる。
この一時記録部３１２Ｂに記録されたデータは、主制御部３１２Ａの制御に基づき、出力情報管理部３１３を介してＬＣＤ３１に出力され、画像が表示されることとなる。
【００３５】
次に、携帯電話２からの画像を画像表示装置３のＬＣＤ３１に表示させるまでの手順について説明する。
まず、携帯電話２および画像表示装置３を本実施形態のＵＳＢケーブル１に接続することにより、ＵＳＢ接続を成立させる。
すなわち、ユーザにより携帯電話２および画像表示装置３のＵＳＢ端子２７、３２がそれぞれＵＳＢケーブル１の携帯電話用ＵＳＢ端子１１、画像表示装置用ＵＳＢ端子１２に接続されると、ＵＳＢケーブル１の主制御部１１２Ａは、ＵＳＢケーブル１に接続された携帯電話２および画像表示装置３を認識するための処理（エニュメレーション）を開始する。具体的には、主制御部１１２Ａは出力情報管理部１１３を制御して、接続された端末や装置を認識するために必要な情報を要求する信号を携帯電話用ＵＳＢ端子１１および画像表示装置用ＵＳＢ端子１２を介して携帯電話２および画像表示装置３に送信する。
このような信号が携帯電話２に送信されると、携帯電話２の主制御部２１２Ａは、当該端末を認識するために必要な情報を出力情報管理部２１４からＵＳＢケーブル１に送信する。
同様に、上記信号が画像表示装置３に送信されると、画像表示装置３の主制御部３１２Ａは、当該装置を認識するために必要な情報を出力情報管理部３１３からＵＳＢケーブル１に送信する。
この情報をＵＳＢケーブル１が受信することによってエニュメレーション処理が完了し、携帯電話２の画像データを画像表示装置３に送信させることができるようになる。
【００３６】
エニュメレーション処理の完了後、ＵＳＢケーブル１の主制御部１１２Ａは、携帯電話２から画像表示装置３に送信可能な画像情報を要求する信号を出力情報管理部１１３から携帯電話２に送信する。
このような信号が携帯電話２に送信されると、携帯電話２の主制御部２１２Ａは、携帯電話２から画像表示装置３に送信可能な画像情報を出力情報管理部２１４からＵＳＢケーブル１を介して画像表示装置３に送信する。
画像表示装置３の主制御部３１２Ａは、携帯電話２から送信されてきた情報を出力情報管理部３１３を通じて変換基板３３に送り、ＬＣＤ３１に表示させる。
図１１は、ＬＣＤ３１に表示される画面の一例を示す図である。この図では、携帯電話２から画像表示装置３に送信可能な画像情報がアイコンによって表示されている。
ユーザは、ＵＳＢケーブル１の操作ボタン１５の方向指示ボタン１５ａないし１５ｄを操作することによって、ＬＣＤ３１に表示されたアイコンのうち表示したい画像情報を示すアイコンを選択し、画像選択ボタン１５ｅを押す。なお、画像情報を示すアイコンは階層的になっており、例えば図１１のアイコンのうち「メモリカード」が選択された場合には、続いてメモリカード２５内に保存されている画像情報を示すアイコン一覧が表示されるようになっている。なお、選択をキャンセルしたい場合には画像選択キャンセルボタン１５ｆを押すことで画像が選択されていない状態に戻るようになっている。
【００３７】
この操作ボタン１５によりどの画像が選択されたかを示す信号は、ＵＳＢケーブル１の入力情報管理部１１１を通じて主制御部１１２Ａに送られる。
主制御部１１２Ａはこれに基づき、ユーザにより選択された画像を携帯電話２に送信するように要求する信号を出力情報管理部１１３からＵＳＢケーブル１を介して携帯電話２に送信する。
このような信号が携帯電話２に送信されると、携帯電話２の主制御部２１２Ａは、操作ボタンによりユーザに選択された画像データをメモリカード２５から（ユーザにより選択された画像が内部メモリに格納されている場合は該画像データを内部メモリから）読み出し、この画像データが静止画のデータである場合は、静止画のデータであることを示すヘッダを付し、該画像データを出力情報管理部２１４を介してＵＳＢケーブル１に送り出す。一方、この画像データが動画のデータである場合は、主制御部２１２Ａは該画像データが動画のデータであることを示すヘッダを付し、データ圧縮部２１２Ｃに該データを圧縮させてから該画像データを出力情報管理部２１４を介してＵＳＢケーブル１に送り出す。
【００３８】
ＵＳＢケーブル１の主制御部１１２Ａは、携帯電話２から入力情報管理部１１１を通じて送信されてきた画像データが圧縮データおよび暗号データでない場合、出力情報管理部１１３を介して該画像データを画像表示装置３に送信する。
この場合、画像表示装置３の主制御部３１２Ａは、ＵＳＢケーブル１から送信されてきた画像データに付されたヘッダにより該画像データが静止画のデータであるか動画のデータであるかを認識し、画像データを出力情報管理部３１３を通じて変換基板３３に送り、適切な画像をＬＣＤ３１に表示させる。
このようにして、携帯電話２からの画像を画像表示装置３のＬＣＤ３１に表示させることができる。
【００３９】
一方、携帯電話２から入力情報管理部１１１を通じて送信されてきた画像データが圧縮データである場合には、ＵＳＢケーブル１の主制御部１１２Ａは、データ伸長部１１２Ｃに該データを伸長させて伸長データ（圧縮前の画像データ）とし、この伸長データを出力情報管理部１１３を介して画像表示装置３に送信する。
また、携帯電話２から入力情報管理部１１１を通じて送信されてきた画像データが暗号データである場合には、ＵＳＢケーブル１の主制御部１１２Ａは、データ復号部１１２Ｄに該データを復号化させて復号データ（暗号化前の画像データ）とし、この復号データを出力情報管理部１１３を介して画像表示装置３に送信する。その後の手順は上述したとおりである。
【００４０】
なお、ユーザにより選択されたアイコンが「インターネット」である場合には、携帯電話２の主制御部２１２Ａは、携帯電話２内のメモリに登録されている暗号データ提供サーバＳ２の情報を出力情報管理部２１４からＵＳＢケーブル１を介して画像表示装置３に送信する。この情報に基づき、画像表示装置３の主制御部３１２Ａは、画像表示装置３のＬＣＤ３１に暗号データ提供サーバＳ２の一覧を表示させる。ユーザは操作ボタン１５によりこれらの暗号データ提供サーバＳ２のうち１つを選択する。
主制御部１１２Ａはこれに基づき、ユーザにより選択された暗号データ提供サーバＳ２にアクセスするよう求める信号を出力情報管理部１１３を介して携帯電話２に送信する。
このような信号が携帯電話２に送信されると、携帯電話２の主制御部２１２Ａは、通信制御部２１３を制御してインターネットＮにアクセスし、選択された暗号データ提供サーバＳ２にアクセスし、暗号データを受信する。本実施形態では、この暗号データには既にヘッダが付されており、該データが動画のデータである場合には、既に圧縮されているものとする。
主制御部２１２Ａは、受信した暗号データを、出力情報管理部２１４を介して画像表示装置３に送信する。その後の手順は上述したとおりである。
【００４１】
ユーザにより選択されたアイコンが「ＴＶ」である場合には、携帯電話２の主制御部２１２Ａは、携帯電話２内のメモリに登録されているチャンネル情報を出力情報管理部２１４、ＵＳＢケーブル１を介して画像表示装置３に送信する。この情報に基づき、画像表示装置３の主制御部３１２Ａは、画像表示装置３のＬＣＤ３１に該チャンネル一覧を表示させる。ユーザはＵＳＢケーブル１の操作ボタン１５によりこれらのチャンネルの中のうち１つを選択する。
主制御部１１２Ａはこれに基づき、ユーザにより選択されたチャンネルを受信するように求める信号を出力情報管理部１１３から携帯電話２に送信する。
このような信号が携帯電話２に送信されると、携帯電話２の主制御部２１２Ａは、通信制御部２１３を制御して、選択されたチャンネルの画像データを受信する。
主制御部２１２Ａは、受信した画像データを一時記録部２１２Ｂに記録し、該画像データが動画のデータであることを示すヘッダを付し、データ圧縮部２１２Ｃに動画のデータである該データを圧縮させてから該画像データを出力情報管理部２１４を介してＵＳＢケーブル１に送り出す。その後の手順は上述したとおりである。
【００４２】
このように、本実施形態のＵＳＢケーブル１を使用して携帯電話２と画像表示装置３とを接続すれば、携帯電話２と画像表示装置３とをＵＳＢ接続して画像データを携帯電話２から画像表示装置３に送ることができるようになる。これにより、携帯電話２の画像データを画像表示装置３に表示させることができるため、携帯電話２さえあればパソコンを出先に持ち込むことなく、出先の画像表示装置を使用してプレゼンテーションしたりすることができる。
また、画像表示装置３として、解像度の高い大画面ディスプレイを用いた場合には、携帯電話２からの画像、例えばコンテンツ配信サーバからの動画を表示した場合、迫力ある画像を楽しむことができる。
【００４３】
また、本実施形態のＵＳＢケーブル１はデータ復号化回路１０６を有しているので、携帯電話２から画像表示装置３に送信する画像データとして、画像データそのものではなくセキュリティの高い暗号データを送ることができる。
このデータ復号化回路１０６は、本実施形態では画像表示装置用ＵＳＢ端子１２側に設けられているので、ＵＳＢケーブル１が携帯電話２から受け取った暗号データを画像表示装置３に送り出す直前まで暗号化されたままの状態とすることができ、セキュリティをより高くすることができる。
【００４４】
また、本実施形態においては、暗号データ自体を外部のサーバからネットワークを通じてダウンロードし、ダウンロードした暗号データを送信するようになっているので、携帯電話２自体においてこの暗号データを復号化してそのデータ内容を見ることができず、セキュリティをより高めることができる。また、携帯電話２に暗号化プログラムをインストールする手間もかからない。
【００４５】
また、携帯電話２からＵＳＢケーブル１に送られた暗号データおよびこれを復号化した復号データはＵＳＢケーブル１の一時記録部１１２Ｂに一時的に記録されるだけなので、暗号データおよび復号データはＵＳＢケーブル１内に残らない。
さらに、暗号データ提供サーバＳ２から携帯電話２が受信した暗号データも携帯電話２の一時記録部２１２Ｂに一時的に記録されるだけなので、暗号データは携帯電話２内に残らない。また、携帯電話２からＵＳＢケーブル１を介して画像表示装置３に送られた復号データも画像表示装置３の一時記録部３１２Ｂに一時的に記録されるだけなので、復号データは画像表示装置３内に残らない。
これにより、第三者が該データを持ち出すことができず、これらの暗号データ、画像データが第三者に漏洩するのを防止することができる。
【００４６】
以上の本実施形態では、携帯電話２から画像表示装置３に送信させるべき画像データをＵＳＢケーブル１で指定するものとして記載したが、この画像データを携帯電話２で指定（携帯電話２の液晶表示装置２４または画像表示装置３のＬＣＤ３１に送信させるべき画像データを示すアイコンの一覧を表示させ、キー操作部２３を操作することにより指定）するようにしてもよい。また、画像表示装置３に画像指定ボタンを設け、これにより指定するようにしてもよい。
また、携帯電話２から画像表示装置３に送信させるべき画像データを示すアイコンの一覧は、どのような態様で表示されてもよい。例えば、本実施形態では、ユーザにより選択されたアイコンが「インターネット」である場合に携帯電話２内のメモリに登録されている暗号データ提供サーバＳ２の情報のみを表示するものとして記載したが、ユーザが「インターネット」を選択した時点でインターネットＮにつながるようにし、様々なサイトを検索できるようにしてもよい。
また、携帯電話２から画像表示装置３に送信させるべき画像データを示すアイコンの一覧を表示させるのではなく、画像表示装置３に送信すべき画像データのタイトル名をユーザに打ち込ませるための表示をし、例えば携帯電話２のキー操作部２３を操作することにより、画像表示装置３に送信すべき画像データのタイトル名をユーザが打ち込むような構成にしてもよい。
また、本実施形態の携帯電話は、画像データが静止画のデータであるか動画のデータであるかを示すヘッダを付してから送信するものとして記載したが、必ずしも付す必要はない。
【００４７】
また、本実施形態のＵＳＢケーブル１は、画像表示装置用ＵＳＢ端子１２に制御装置１３が隣接するものとして記載したが、図１２に示すＵＳＢケーブル４のように、画像表示装置用ＵＳＢ端子１２と制御装置１３とを一体に形成してもよい。すなわち、画像表示装置用ＵＳＢ端子と制御装置とを同一のケース４３内に収容し、図１２に示すような画像表示装置用ＵＳＢ端子４２としてもよい。なお、この画像表示装置用ＵＳＢ端子４２のケース４３の一面（例えば、ＵＳＢケーブル４の両端に携帯電話２と画像表示装置３とを接続した場合に、上になる面）には図２に示したような操作ボタンが設けられており、表示したい画像情報を示すアイコンを選択できるようになっている。
【００４８】
また、本実施形態のＵＳＢケーブル１の端子は、携帯電話２とＵＳＢ接続するための携帯電話用ＵＳＢ端子１１と、画像表示装置３とＵＳＢ接続するための画像表示装置用ＵＳＢ端子１２とであるものとして記載したが、図１３に示すように、画像表示装置５の端子がアナログＲＧＢ端子５２である場合、ＵＳＢケーブル６は、画像表示装置用ＵＳＢ端子の代わりにアナログＲＧＢ端子６２を備えるものとすることができる。この場合、上述のようにアナログＲＧＢ端子６２と制御装置１３とを一体に形成してもよい。
【００４９】
また、本実施形態のＵＳＢケーブル１は、データ伸長回路およびデータ復号化回路を有するものとして記載したが、必ずしも有する必要はなく、携帯電話２から画像表示装置３に、圧縮および暗号化されていない画像データのみを送信させるような構成にしてもよい。
【００５０】
なお、本実施形態においては、携帯電話２は、暗号データ提供サーバＳ２からダウンロードした暗号データを自動的に一時記録部２１２Ｂに一時的に記録するようになっているものとして記載したが、これに限られず、携帯電話２がＵＳＢケーブル１に制御されることにより、暗号データを自動的に一時記録部２１２Ｂに一時的に記録するようになっていてもよい。すなわち、操作ボタン１５により暗号データ提供サーバＳ２のうち１つがユーザにより選択されたのに基づき、ＵＳＢケーブル１の主制御部１１２Ａは、ユーザにより選択された暗号データ提供サーバＳ２にアクセスするよう求める信号とともに、暗号データ提供サーバＳ２からダウンロードした暗号データを一時記録部２１２Ｂに記録するよう求める信号を出力情報管理部１１３を介して携帯電話２に送信するようになっていてもよい。
同様に、画像表示装置３も、ＵＳＢケーブル１の制御に基づき、暗号データを自動的に一時記録部３１２Ｂに一時的に記録するようになっていてもよい。
【００５１】
また、以上のようなＵＳＢケーブル１を介した携帯電話２と画像表示装置３とのＵＳＢ接続が解消（携帯電話２または画像表示装置３のＵＳＢ端子２７、３２の少なくとも一方をＵＳＢケーブル１の携帯電話用ＵＳＢ端子１１または画像表示装置用ＵＳＢ端子１２から取り外した場合、および、電気的にこれらが接続されないようになった場合の両方を意味する）された際に、ＵＳＢケーブル１、携帯電話２、および画像表示装置３中に、該暗号データに関するデータ（暗号データおよび復号データ）が残らないようになっていてもよい。
【００５２】
なお、本実施形態は、暗号データがＵＳＢケーブル１、携帯電話２、および画像表示装置３中に残るようになっているものとして記載したが、必ずしもそうである必要はない。例えば、ＵＳＢケーブル１および画像表示装置３中には該暗号データに関するデータが残らないようになっているが、携帯電話２中には暗号データが残るようになっていてもよい。
【図面の簡単な説明】
【００５３】
【図１】本実施形態のＵＳＢケーブル、画像表示装置、および携帯電話を示す図。
【図２】操作ボタンの構成を示す図。
【図３】本実施形態のＵＳＢケーブルの構成を示す図。
【図４】本実施形態のＵＳＢケーブル内に生成される機能ブロックを示すブロック図。
【図５】本実施形態の携帯電話を含んだネットワークを示す図。
【図６】本実施形態の携帯電話の構成を示す図。
【図７】本実施形態の携帯電話内に生成される機能ブロックを示すブロック図。
【図８】図１に示した画像表示装置の外枠ケースの内部を示す断面図。
【図９】本実施形態の画像表示装置の構成を示す図。
【図１０】本実施形態の画像表示装置内に生成される機能ブロックを示すブロック図。
【図１１】本実施形態の画像表示装置のＬＣＤに表示される選択画面の一例を示す図。
【図１２】ＵＳＢケーブルの変形例を示す図。
【図１３】ＵＳＢケーブルの変形例を示す図。
【符号の説明】
【００５４】
１，４，６  ＵＳＢケーブル
２  携帯電話
３，５  画像表示装置
１１  携帯電話用ＵＳＢ端子
１２  画像表示装置用ＵＳＢ端子
１３  制御装置
１４  ケース
１５  操作ボタン
２１  送受信アンテナ
２２  ケース
２３  キー操作部
２４  液晶表示装置
２５  メモリカード
２６  メモリカードスロット
２７  ＵＳＢ端子
３０  外枠ケース
３１  ＬＣＤ
３２  ＵＳＢ端子
３３  変換基板
３４  バックライトユニット
Ｃ  ケーブル
【図１】
2008160692.tif 000003
【図２】
2008160692.tif 000004
【図３】
2008160692.tif 000005
【図４】
2008160692.tif 000006
【図５】
2008160692.tif 000007
【図６】
2008160692.tif 000008
【図７】
2008160692.tif 000009
【図８】
2008160692.tif 000010
【図９】
2008160692.tif 000011
【図１０】
2008160692.tif 000012
【図１１】
2008160692.tif 000013
【図１２】
2008160692.tif 000014
【図１３】
2008160692.tif 000015